(57)【要約】【課題】組み立て式の箱体において、差し込み片による結合状態を容易に得ることができるとともに、結合状態を確実に維持できる構造を得る。【解決手段】所望形状に裁断された一枚のシートに設けられた複数の折れ線を折り曲げることで、天蓋壁１・底面壁２・正面壁３・裏面壁４・右側面壁５・左側面壁６を形成する箱体において、前記天蓋壁１に設けた舌片３０が、正面壁３に設けた正面壁側切り込み部２４に差し込まれ、前記正面壁側に切り込みを入れることで形成される係止片２２が、前記舌片３０に設けた舌片側切り込み部３１に差し込まれることでロック手段を構成し、前記天蓋壁１を開封可能とする位置にミシン目を有して構成される開封手段を備え、前記ロック手段は、前記係止片２２が前記舌片側切り込み部３１に差し込まれた際に、差し込み方向と逆方向への前記係止片２２の移動を規制する構造を備える。【選択図】図２
0003213676.tif 000002
【実用新案登録請求の範囲】
【請求項１】
所望形状に裁断された一枚のシートに設けられた複数の折れ線を折り曲げることで、天蓋壁・底面壁・正面壁・裏面壁・右側面壁・左側面壁を形成する箱体において、
前記天蓋壁に設けた舌片が、正面壁に設けた正面壁側切り込み部に差し込まれ、
前記正面壁側に切り込みを入れることで形成される係止片が、前記舌片に設けた舌片側切り込み部に差し込まれることでロック手段を構成し、
前記天蓋壁を開封可能とする位置にミシン目を有して構成される開封手段を備えた
ことを特徴とする箱体。
【請求項２】
前記ロック手段は、前記係止片が前記舌片側切り込み部に差し込まれた際に、差し込み方向と逆方向への前記係止片の移動を規制する構造を備えた請求項１に記載の箱体。
【請求項３】
所望形状に裁断された一枚のシートに設けられた複数の折れ線を折り曲げることで、天蓋壁・底面壁・正面壁・裏面壁・右側面壁・左側面壁を形成する箱体において、
前記天蓋壁に設けた舌片と、前記正面壁に連設した天蓋下面片とでロック手段を構成する一方、
前記ロック手段は、
前記舌片が、前記正面壁と天蓋下面片との境界に設けた正面壁側切り込み部に差し込まれ、
前記正面壁及び天蓋下面片に切り込みを入れることで形成される係止片が、前記舌片に設けた舌片側切り込み部に差し込まれることで結合するとともに、
前記係止片の両端に突出片をそれぞれ設け、前記突出片は、前記舌片側切り込み部の両端に傾斜して設けた傾斜切り込み部にそれぞれ差し込まれて結合することで、結合状態を維持し、
前記舌片側切り込み部に連続するミシン目を前記天蓋壁の両側端まで設けることで開封手段を形成することを特徴とする箱体。
【請求項４】
前記各傾斜切り込み部に対して、その端部寄りに湾曲切り込み部を形成する請求項３に記載の箱体。
【請求項５】
前記ミシン目は、前記天蓋壁の前記裏面壁方向に直線状となる一対の直線部と、各直線部から前記天蓋壁の両側端に向かって斜め方向に配置された傾斜部と、を備えた請求項３に記載の箱体。
【請求項６】
所望形状に裁断された一枚のシートに設けられた複数の折れ線を折り曲げることで、天蓋壁・底面壁・正面壁・裏面壁・右側面壁・左側面壁を形成する箱体において、
前記天蓋壁に前記正面壁を覆う位置に配置可能な正面被覆壁を介在させて設けた舌片と、前記正面壁に連設する底面壁とでロック手段を構成する一方、
前記ロック手段は、
前記舌片が、前記底面壁と前記正面壁との境界に設けた正面壁側切り込み部に差し込まれ、
前記底面壁に切り込みを入れることで形成される係止片が、前記舌片に設けた突出部及び直線部を備えた舌片側切り込み部に差し込まれ、前記係止片の基部両端の内側方向に係止片の突出方向に直交する切り込みで構成された係止切り込み部に対して、前記舌片側切り込み部の前記直線部が係止して結合することで結合状態を維持し、
前記舌片と前記正面被覆壁との境にミシン目を設けるとともに、前記天蓋壁と前記正面被覆壁との境にミシン目を設けることで開封手段を形成する
ことを特徴とする箱体。
【請求項７】
前記各係止切り込み部に対して、その外側方向に直線状に連続する直線切り込み部を設けた請求項６に記載の箱体。
【請求項８】
前記直線切り込み部の外側端に、直線切り込み部に対して直交する直交切り込み部を設けた請求項７に記載の箱体。
【考案の詳細な説明】
【技術分野】
【０００１】
本考案は、所望形状に裁断された一枚の紙製シートに設けられた複数の折れ線を折り曲げることで組み立てられる箱体に関し、紙箱体内に収納物を収納した後に封止するに際し、接着剤を用いることなく組み立て段階における紙片の差し込み等によるロック手段により、確実に封止することができる箱体の構造に関する。
【背景技術】
【０００２】
ロック手段を備えた紙製の箱体としては、例えば特許文献１に示すように、包装用箱の内部に所望の収納物を収納した後に当該包装用箱を封止するに際し、紙の特性を利用して差込片の差し込みによって確実にロック封止するようにした構造が提案されている。
【０００３】
この包装用箱は、図８の展開図に示されるように、互いに平行する第１〜第５の５本の折線を介して連接された第１の側壁１０１〜第６の側壁１０６を有し、第１の側壁１０１の上方および下方に折線を介して連続する第１および第２の中蓋片１１３、１１５と、第４の側壁１０４および第６の側壁１０６の上方および下方に折線を介して連続する垂蓋片１１７、１１９、１２１、１２３と、第３の側壁１０３の上方および下方に折線を介して連続する天蓋壁１２６および底蓋壁１２７とを有している。また、天蓋壁１２６の差込片１２９と第１の側壁１０１の上方側との間、および底蓋壁１２７の差込片１２９と第１の側壁の下方側との間に、組立段階において差込片１２９，１２９の差し込みによってロックされるロック手段１３０，１３０を設け、天蓋壁１２６の一部にミシン目による開封手段１３５を設けて構成されている。
そして、開口部として形成されたロック手段１３０の構成要素１３０Ｂに対して、ロック手段１３０の構成要素１３０Ａの両側に配置された折り畳みフック片１３３，１３３を折り畳んだ状態で差し込み通過を許容し、通過後、フック片１３３が拡がった状態となることで外れ通過を阻止するように構成されている。
【先行技術文献】
【特許文献】
【０００４】
【特許文献１】特開２００６−１０３７２８号公報
【考案の概要】
【考案が解決しようとする課題】
【０００５】
上述した包装用箱によれば、封止するに際し、ロック手段１３０の構成要素１３０Ｂの全幅よりも長い構成要素１３０Ａを構成要素１３０Ｂに差し込むので、フック片１３３，１３３を畳む等した状態で差し込む必要があり、ロック手段１３０を結合状態にするのが困難であるという問題点があった。
【０００６】
本考案は上記実情に鑑みて提案されたもので、差し込み片による結合状態を容易に得ることができるとともに、結合状態を確実に維持できる構造を備えた箱体を提供することを目的としている。
【課題を解決するための手段】
【０００７】
上記目的を達成するため本発明（請求項１）は、所望形状に裁断された一枚のシートに設けられた複数の折れ線を折り曲げることで、天蓋壁（１）・底面壁（２）・正面壁（３）・裏面壁（４）・右側面壁（５）・左側面壁（６）を形成する箱体において、次の構成を含むことを特徴としている。
前記天蓋壁（１）に設けた舌片（３０）（５０）が、正面壁（３）に設けた正面壁側切り込み部（２４）（６１）に差し込まれ、
前記正面壁側に切り込みを入れることで形成される係止片（２２）（６０）が、前記舌片（３０）（５０）に設けた舌片側切り込み部（３１）（５３）に差し込まれることでロック手段を構成し、
前記天蓋壁（１）を開封可能とする位置にミシン目を有して構成される開封手段を備えている。
【０００８】
請求項２は、請求項１の箱体において、
前記ロック手段は、前記係止片（２２）（６０）が前記舌片側切り込み部（３１）（５３）に差し込まれた際に、差し込み方向と逆方向への前記係止片（２２）（６０）の移動を規制する構造を備えたことを特徴としている。
【０００９】
請求項３は、所望形状に裁断された一枚のシートに設けられた複数の折れ線を折り曲げることで、天蓋壁（１）・底面壁（２）・正面壁（３）・裏面壁（４）・右側面壁（５）・左側面壁（６）を形成する箱体において、次の構成を含むことを特徴としている。
前記天蓋壁（１）に設けた舌片（３０）と、前記正面壁（３）とでロック手段を構成する一方、
前記ロック手段は、
前記舌片（３０）が、前記正面壁（３）と天蓋下面片（２０）との境界に設けた正面壁側切り込み部（２４）に差し込まれ、
前記正面壁（３）及び天蓋下面片（２０）に切り込み（２１）を入れることで形成される係止片（２２）が、前記舌片（３０）に設けた舌片側切り込み部（３１）に差し込まれることで結合するとともに、
前記係止片（２２）の両端に突出片（２３）をそれぞれ設け、前記突出片（２３）は、前記舌片側切り込み部（３１）の両端に傾斜して設けた傾斜切り込み部（３２）にそれぞれ差し込まれて結合することで結合状態を維持し、
前記舌片側切り込み部（３１）に連続するミシン目（４０）を前記天蓋壁（１）の両側端まで設けることで開封手段を形成する。
【００１０】
請求項４は、請求項３の箱体において、
前記各傾斜切り込み部（３２）に対して、その端部寄りに湾曲切り込み部（３３）を形成することを特徴としている。
【００１１】
請求項５は、請求項３の箱体において、
前記ミシン目（４０）は、前記天蓋壁（１）の前記裏面壁方向に直線状となる一対の直線部（４１）と、各直線部（４１）から前記天蓋壁（１）の両側端に向かって斜め方向に配置された傾斜部（４２）と、を備えたことを特徴としている。
【００１２】
請求項６は、所望形状に裁断された一枚のシートに設けられた複数の折れ線を折り曲げることで、天蓋壁（１）・底面壁（２）・正面壁（３）・裏面壁（４）・右側面壁（５）・左側面壁（６）を形成する箱体において、次の構成を含むことを特徴としている。
前記天蓋壁（１）に前記正面壁（３）を覆う位置に配置可能な正面被覆壁（４５）を介在させて設けた舌片（５０）と、前記正面壁（３）に連設する底面壁（２）とでロック手段を構成する一方、
前記ロック手段は、
前記舌片（５０）が、前記底面壁（２）と前記正面壁（３）との境界に設けた正面壁側切り込み部（６１）に差し込まれ、
前記底面壁（２）に切り込みを入れることで形成される係止片（６０）が、前記舌片（５０）に設けた突出部（５１）及び直線部（５２）を備えた舌片側切り込み部（５３）に差し込まれ、前記係止片（６０）の基部両端の内側方向に係止片（６０）の突出方向に直交する切り込みで構成された係止切り込み部（６２）に対して、前記舌片側切り込み部（５３）の前記直線部（５２）が係止して結合することでロック状態を維持し、
前記舌片（５０）と前記正面被覆壁（４５）との境にミシン目（４６）を設けるとともに、前記天蓋壁（１）と前記正面被覆壁（４５）との境にミシン目（４７）を設けることで開封手段を形成する。
【００１３】
請求項７は、請求項６の箱体において、
前記各係止切り込み部（６２）に対して、その外側方向に直線状に連続する直線切り込み部（６３）を設けたことを特徴としている。
【００１４】
請求項８は、請求項７の箱体において、
前記直線切り込み部（６３）の外側端に、直線切り込み部（６３）に対して直交する直交切り込み部（６４）を設けたことを特徴としている。
【考案の効果】
【００１５】
請求項１及び請求項２の箱体によれば、ロック手段により差し込み片による結合状態を容易に得ることができる。
すなわち、正面壁側に切り込みを入れることで形成される係止片（２２）（６０）が、舌片（３０）（５０）に設けた舌片側切り込み部（３１）（５３）に差し込まれることでロック手段を構成し、係止片（２２）（６０）が舌片側切り込み部（３１）（５３）に差し込まれた際に、差し込み方向と逆方向への係止片（２２）（６０）の移動を規制する構造（ロック手段）を備えたことで、結合状態を確実に維持することができる。
【００１６】
請求項３の箱体によれば、舌片（３０）が、正面壁（３）と天蓋下面片（２０）との境界に設けた正面壁側切り込み部（２４）に差し込まれ、正面壁（３）及び天蓋下面片（２０）に切り込み（２１）を入れることで形成される係止片（２２）が、舌片（３０）に設けた舌片側切り込み部（３１）に差し込まれることで結合するとともに、係止片（２２）の両端に突出片（２３）をそれぞれ設け、突出片（２３）は、舌片側切り込み部（３１）の両端に傾斜して設けた傾斜切り込み部（３２）にそれぞれ差し込まれて結合することで、ロック手段の結合状態を維持することができる。
【００１７】
請求項４の箱体によれば、各傾斜切り込み部（３２）に対して、その端部寄りに湾曲切り込み部（３３）を形成することで、傾斜切り込み部（３２）の開口部分の面積を広く確保することができ、突出片（２３）を傾斜切り込み部（３２）に差し込み易くすることができる。
【００１８】
請求項５の箱体によれば、直線状となる一対の直線部（４１）をミシン目（４０）に設けることで、開封操作時に把持部となる方形片（４３）を天蓋壁（１）に形成でき、ミシン目（４０）の破断による天蓋壁（１）の開閉動作をさせ易くすることができる。
【００１９】
請求項６の箱体によれば、舌片（５０）が、底面壁（２）と正面壁（３）との境界に設けた正面壁側切り込み部（６１）に差し込まれ、底面壁（２）に切り込みを入れることで形成される係止片（６０）が、舌片（５０）に設けた突出部（５１）及び直線部（５２）を備えた舌片側切り込み部（５３）に差し込まれ、係止片（６０）の基部両端の内側方向に係止片（６０）の突出方向に直交する切り込みで構成された係止切り込み部（６２）に対して、舌片側切り込み部（５３）の直線部（５２）が係止して結合することでロック手段の結合状態を維持することができる。
【００２０】
請求項７の箱体によれば、各係止切り込み部（６２）に対して直線切り込み部（６３）を設けることで、係止片（６０）を舌片（５０）に設けた舌片側切り込み部（５３）に差し込むに際して、開口部分を大きくして差し込み易くすることができる。
【００２１】
請求項８の箱体によれば、直線切り込み部（６３）に対して直交する直交切り込み部（６４）を設けることで、開口しながら差し込みを行うに際して、直線切り込み部（６３）の端部に亀裂が発生することを防止することができる。
【図面の簡単な説明】
【００２２】
【図１】本考案に係る箱体の一実施形態を示す組立斜視説明図である。
【図２】図１の箱体を展開して示した展開平面説明図である。
【図３】本考案に係る箱体の他の実施形態を示す組立斜視説明図である。
【図４】図３の箱体を展開して示した展開平面説明図である。
【図５】図３の箱体におけるロック手段において、切り欠き部（係止片）に対する舌片の差し込み過程を説明するための一部底面説明図である。
【図６】図３の箱体におけるロック手段の結合状態を説明するための一部底面説明図である。
【図７】図３の箱体における舌片と係止片の接合状態を説明するための図６のVII−VII線における断面説明図である。
【図８】従来の箱体を展開して示した展開平面説明図である。
【考案を実施するための形態】
【００２３】
本考案に係る箱体の実施形態について、図面を参照しながら説明する。
図１は、箱体の実施形態の一例を示す斜視説明図であり、図２の展開平面図に示すように、天蓋壁１・底面壁２・正面壁３・裏面壁４・右側面壁５・左側面壁６を有している。
【００２４】
本考案に係る箱体は、所望形状に裁断された一枚のシート（厚紙等）に設けられた複数の折れ線（図２において点線で表示）を折り曲げることで立体形状とし、内部に所望の収納物を収納したのち、紙片の差し込みによるロック手段で箱体を完全に封緘し、内部の収納物を取り出すときには、天蓋壁１が開閉可能となるように設けた開封用のミシン目４０を切断することで開封し、収納物を取り出せるように構成されている。
【００２５】
また、図２に示すように、右側面壁５には、組み立て時に正面壁３と重なる垂蓋片８、及び、裏面壁４と重なる垂蓋片９が横方向に連続して形成されるとともに、組み立て時に天蓋壁１と重なる中蓋片９が縦方向に連続して形成されている。
左側面壁６には、組み立て時に正面壁３と重なる垂蓋片１０、及び、裏面壁４と重なる垂蓋片１１横方向に連続して形成されるとともに、天蓋壁１と重なる中蓋片１２が横方向に連続して形成されている。
【００２６】
天蓋壁１には、後述するロック手段の一部となる舌片３０が突出して形成されている。舌片３０の中央寄りの天蓋壁１と境界には、舌片側切り込み部３１が形成され、舌片側切り込み部３１の両端には、舌片側切り込み部３１に対して傾斜した傾斜切り込み部３２，３２が形成されている。また、各傾斜切り込み部３２に対して、その端部寄りの位置に湾曲切り込み部３３が形成されている。
【００２７】
正面壁３には、組み立て時に天蓋壁１と重なる天蓋下面片２０が縦方向に連続して形成されている。天蓋下面片２０の両側端には、組み立て時に中蓋片９に形成された切り込み１３、中蓋片１２に形成された切り込み１４に差し込まれる突出片２０ａ，２０ａが形成されている。
【００２８】
正面壁３及び天蓋下面片２０には、両者を跨ぐように一対の切り込み２１，２１を入れることで係止片２２が形成されている。係止片２２の両端には、突出片２３がそれぞれ連続して形成されている。
正面壁３と天蓋下面片２０との境界には、正面壁側切り込み部２４が設けられ、前記した舌片３０が差し込まれるようになっている。
また、正面壁側切り込み部２４の両端には交差切り込み２５が形成され、正面壁側切り込み部２４により切り込み開口が広がるようになっている。
【００２９】
舌片３０が正面壁側切り込み部２４に差し込まれた状態で、舌片３０に設けた舌片側切り込み部３１に係止片２２が差し込まれることで、舌片３０が正面壁３側に結合された状態（結合状態）が維持されるロック手段が構成される。
このロック手段は、係止片２２が舌片側切り込み部３１に差し込まれた際に、差し込み方向と逆方向への係止片２２の移動を規制する構造を備えている。
【００３０】
すなわち、舌片３０の舌片側切り込み部３１に係止片２２を差し込むに際して、係止片２２に対して両側に配置された突出片２３を傾斜切り込み部３２に合わせて傾斜させて差し込む。
差し込み終了時においては、突出片２３が元の位置（係止片２２に連続する水平位置）に戻ろうとすることで、傾斜切り込み部３２から離れた位置に移動し、差し込み方向と逆方向への突出片２３（及び係止片２２）の移動が規制されることで結合状態が維持されるようになる。
【００３１】
舌片３０の舌片側切り込み部３１に係止片２２を差し込むに際しては、係止片２２の幅に傾斜させた突出片２３の幅を含めた全体の長さに対して、舌片側切り込み部３１に両側の傾斜切り込み部３２を加えた長さを少し長く形成することで、容易に差し込みを行うことが可能となる。
【００３２】
係止片２２は、正面壁３に設けた切り込み２１、及び、天蓋下面片２０に設けた切り込み２１を有しているので、舌片３０の舌片側切り込み部３１に係止片２２を差し込む際に、係止片２２の移動範囲を広くすることができ、舌片側切り込み部３１及び傾斜切り込み部３２に対する位置決めを容易にして差し込み易くすることができる。
同時に、各傾斜切り込み部３２に対して湾曲切り込み部３３が形成されているので、傾斜切り込み部３２の開口部分の面積を広く確保することで、突出片２３を傾斜切り込み部３２に差し込み易くすることができる。湾曲切り込み部３３を湾曲に形成したのは、開口部分の面積をより広がり易くさせるためで、湾曲とせずに直線で形成してもよい。
【００３３】
天蓋壁１には、舌片側切り込み部３１に連続し両端側に延設されるミシン目４０による開封手段が形成されている。ミシン目４０は、舌片側切り込み部３１に連続し裏面壁方向に直線状の切り込みとなる一対の直線部４１と、各直線部４１から天蓋壁１の両側端に向かって斜め方向に破断線が配置された傾斜部４２により構成されている。
天蓋壁１の手前部分に、直線状となる一対の直線部４１を設けることで、開封操作時に把持部となる方形片４３を天蓋壁１に形成することにより、ミシン目４０の破断による天蓋壁１の開閉動作をさせ易くしている。
【００３４】
すなわち、天蓋壁１を開封する場合には、舌片側切り込み部３１及び一対の直線部４１で形成された方形片４３を把持して上方向に押し上げることで、直線部４１の切り込み連続する傾斜部４２の破断線の端部まで亀裂が発生し、天蓋壁１にミシン目による蓋体が構成されて箱体の内部収納物の取り出しが可能となる。
【００３５】
図３は、箱体の実施形態の他の例を示す斜視説明図であり、図４の展開平面図に示すように、所望形状に裁断された一枚のシートに設けられた複数の折れ線（図４において点線で表示）を折り曲げることで構成され、天蓋壁１・底面壁２・正面壁３・裏面壁４・右側面壁５・左側面壁６を有している。図３は、箱体のロック手段の構造を見易くするため、上側に底面壁２が位置し天蓋壁１が見えない組立斜視説明図となっている。
また、図３及び図４において、図１及び図２と同様の構成を採る部分については、同一符号を付して説明を省略する。
【００３６】
天蓋壁１には、組み立て時に正面壁３を覆う位置に配置される正面被覆壁４５が連設され、天蓋壁１に対して正面被覆壁４５を介在させてロック手段の一部となる舌片５０が突出して形成されている。舌片５０の中央位置には、外側に凸状の切り込みとなる突出部５１と、突出部５１の両側に直線状に切り込まれた直線部５２とを備えた舌片側切り込み部５３が形成されている。
【００３７】
正面壁３には、組み立て時に天蓋壁１と重なる天蓋下面片２０が縦方向に連続して形成されている。天蓋下面片２０の両側端には、組み立て時に中蓋片９に形成された切り込み１３、中蓋片１２に形成された切り込み１４に差し込まれる突出片２０ａ，２０ａが形成されている。
【００３８】
底面壁２と正面壁３との境界には、舌片５０が差し込まれる正面壁側切り込み部６１となる切り込みが形成されている。また、底面壁２には、複数の切り込み６０ａ，６０ａ，６０ｂ，６０ｂ，６０ｃ，６０ｃを入れることで正面壁３側に凸状となる係止片６０が形成されている。係止片６０の基部両端の内側方向に係止片６０の突出方向に直交する切り込みで構成された係止切り込み部６２が形成されている。
【００３９】
各係止切り込み部６２には、その外側方向に直線状に連続する直線切り込み部６３が設けられている。また、直線切り込み部６３の外側端には、直線切り込み部６３に対して直交する直交切り込み部６４が設けられている。
また、正面壁側切り込み部６１の両端には交差切り込み６５が形成され、正面壁側切り込み部６１により切り込み開口が広がるようになっている。
【００４０】
舌片５０と正面被覆壁４５との境にミシン目４６を設けるとともに、天蓋壁１と正面被覆壁４５との境にミシン目４７を設けることで開封手段が形成されている。
【００４１】
上述の構成により、舌片５０が正面壁側切り込み部６１に差し込まれた状態で、舌片５０に設けた舌片側切り込み部５３に係止片６０が差し込まれることで、舌片５０が正面壁３側に結合された状態（結合状態）が維持されるロック手段が構成される。
【００４２】
このロック手段は、図５〜図７に示すように、係止片６０が舌片側切り込み部５３に差し込まれた際に、差し込み方向と逆方向への係止片６０の移動を規制する構造を備えている。
すなわち、図５の状態から図６の状態に示されるように、正面壁側切り込み部６１に舌片５０が差し込まれるとともに、係止片６０が舌片側切り込み部５３に差し込まれ、係止片６０の基部両端の内側方向に係止片６０の突出方向に直交する切り込みで構成された係止切り込み部６２に対して、図７に示すように、舌片側切り込み部５３の直線部５２がＸ状に係止（舌片５０を抜こうとすると、直線部５２の先端側部分が係止片６０の係止切り込み部６２に引っ掛かる）して結合し、差し込み方向と逆方向への舌片５０（係止片６０）の移動が規制されることでロック手段の結合状態が維持されるようになる。
【００４３】
また、上述した構造によれば、係止片６０を舌片５０に設けた舌片側切り込み部５３に差し込むに際して、以下の効果を奏することができる。
（１）係止切り込み部６２に対して直線切り込み部６３を設けることで、差し込み時の開口部分を大きくして差し込み易くすることができる。
（２）直線切り込み部６３に対して直交する直交切り込み部６４を設けることで、開口しながら差し込みを行うに際して、直線切り込み部６３の端部に亀裂が発生することを防止することができる。
【００４４】
天蓋壁１（図３では裏側に位置している）を開封する場合には、左右のいずれかの方向から正面被覆壁４５を引っ張ることにより、ミシン目４６及びミシン目４７を破断して舌片５０と天蓋壁１とを分離することにより、天蓋壁１による蓋体が構成され、箱体の内部収納物が取り出し可能となる。
【００４５】
上述した各例においては、厚紙で形成した一枚のシートを折り曲げることで立体形状の箱体としたが、折り曲げて立体的な箱体を形成できる材料であれば、紙以外のシートを使用してもよい。
【符号の説明】
【００４６】
１…天蓋壁、  ２…底面壁、  ３…正面壁、  ４…裏面壁、  ５…右側面壁、  ６…左側面壁、  ２０…天蓋下面片、  ２１…切り込み、  ２２…係止片、  ２３…突出片、  ２４…正面壁側切り込み部、  ２５…交差切り込み、  ３０…舌片、  ３１…舌片側切り込み部、  ３２…傾斜切り込み部、  ３３…湾曲切り込み部、  ４０…ミシン目、  ４１…直線部、  ４２…傾斜部、  ４３…方形片、  ４５…正面被覆壁、  ４６…ミシン目、  ４７…ミシン目、  ５０…舌片、  ５１…突出部、  ５２…直線部、  ５３…舌片側切り込み部、  ６０…係止片、  ６１…正面壁側切り込み部、  ６２…係止切り込み部、  ６３…直線切り込み部、  ６４…直交切り込み部、  ６５…交差切り込み。
【図１】
0003213676.tif 000003
【図２】
0003213676.tif 000004
【図３】
0003213676.tif 000005
【図４】
0003213676.tif 000006
【図５】
0003213676.tif 000007
【図６】
0003213676.tif 000008
【図７】
0003213676.tif 000009
【図８】
0003213676.tif 000010